(57)【要約】【課題】工事現場等の床スリーブの開口を養生するにあたり、各床スリーブごとに現場でベニア板を切って養生していた。そのため、工数と費用がかかり、また破損もしやすく安全や止水に課題があった。さらに工事後は産業廃棄物として処理をしていた。【解決手段】ボルトとナットの間に、汎用養生蓋と上下の圧縮用板とその間に固定止水用ゴムを設け、ボルトとナットを締め付けることにより、固定止水用ゴムを圧縮し、固定止水用ゴムが横へ広がることにより、固定され止水される汎用養生蓋ユニットを発明した。汎用養生蓋ユニットを直径の異なる数種を予め用意して、床スリーブの開口に差込みボルトを締めることにより、養生が完了する。当発明により上記課題を全て解決した。【選択図】図１
2008031709.tif 000002
【特許請求の範囲】
【請求項１】
床スリーブの開口を、床をほぼ面一に揃えた状態で一時的に塞いでおくための養生蓋であって、汎用養生蓋と固定止水用ゴムと上部圧縮用板と下部圧縮用板とボルトとナットにより構成することを特徴とする汎用養生蓋ユニット。
【請求項２】
該汎用養生蓋には偏心用長穴を持つことを特徴とする請求項１記載の汎用養生蓋ユニット。
【請求項３】
該上部圧縮用板と該下部圧縮用板にテーパをつけることを特徴とする請求項１記載の汎用養生蓋ユニット。
【発明の詳細な説明】
【技術分野】
【０００１】
本発明は、建築現場等において、床スリーブの開口を養生する養生蓋に関するものである。
【背景技術】
【０００２】
建築現場等においては、床スリ−ブの開口と言われる大小の穴が開いている。これは、上下水道や電気配線や空調用等の穴を予め開ける為に施した穴である。
【０００３】
しかし、それらの穴は工事をするときには、脚立の脚が入り込み脚立が転倒したり、工事中の水や雨水が流れ込んだりして、非常に不便で不必要な存在である。
【０００４】
これらの改善策として、ベニア板を床スリーブの開口のサイズに切り取り、ベニア板で床スリーブの開口の蓋をして、ずれ止めにコンクリート釘などで固定していた。また雨水等の止水のためにはベニア板の周りにシリコンコーキングを施したり、またはモルタルでベニア板の周囲に土手を作り止水していた。
【特許文献１】特開２００５−０６０９５０号公報
【特許文献２】特開平８−２７０２１８
【発明の開示】
【発明が解決しようとする課題】
【０００５】
解決しようとする課題は、このようにベニア板を使用した養生蓋は、現場で養生板を作るため、加工に工数や材料費が多大にかかり、費用をかけて作った養生蓋もその場限りで不要物になっていた。
また、このようにして作ったベニア板の養生蓋は高所作業車や荷物台車の通過により割れてしまうものや、止水の機能が不完全になってしまうものが多発し、その再生や修理に多大なコストがかかった。さらには、止水用モルタルやベニア板の切り残しの材料や使用済みのベニア板の養生蓋が産業廃棄物となった。
【課題を解決するための手段】
【０００６】
本発明は、汎用養生蓋と固定止水用ゴムと上部圧縮用板と下部圧縮用板とボルトとナットにより構成することを特徴とし、該汎用養生蓋には偏心用長穴を持ち、該上部圧縮用板と該下部圧縮用板はテーパをつけることによりこれらの課題を解決した。
【発明の効果】
【０００７】
本発明の汎用養生蓋ユニットの使用により、確実な養生蓋の固定、養生蓋の堅牢性、養生蓋の安全性、養生蓋による確実な止水、養生工程時間の大幅な短縮、汎用養生蓋ユニットの再利用可能、産業廃棄物の大幅な削減を実現した。
【発明を実施するための最良の形態】
【０００８】
床スリーブの開口の大きさに合わせて、いくつかの直径の汎用養生蓋ユニットを予め用意しておき、床スリーブの開口径より小さく、かつ最も直径の近似している汎用養生蓋ユニットを差込みボルトを締めて固定止水することで実現した。
【実施例１】
【０００９】
図１は、本発明装置の実施例の正面図であって、１はボルトで８がナットである。その間に、２から７の部品が挟まれていて、ボルトを締めていくと８のナットが上昇し、５の上部圧縮用板と７の下部圧縮用板に挟まれた６の固定止水用ゴム（この実施例では２つある）が圧縮され左右に膨れ上がり、図示されていない床スリーブを突っ張ることにより固定と止水を同時に行う。
【００１０】
次に機能を説明すると、図３に示すように、図１の構成のまま工事現場に開いている穴（床スリーブの開口）に１０の汎用養生蓋ユニットを差し込む。そうすると図３のように３の汎用養生蓋のみ１２の床の上にあたってそれより下の部品は１３の床スリーブの穴に入り込む。この状態で、１のボルトを締めていくと８のナットが上昇し、図４で示すように、６の固定止水用ゴムが左右に膨れ上がり、１０の汎用養生蓋ユニットが１３のスリーブに固定され止水される。
【００１１】
さらに個々の部品の特長を図２の平面図で説明すると、３は汎用養生蓋であり、中心のボルトが通る穴は円ではなく、偏心できるように３−１の長穴となっている。これは図５で示すように、１３の床スリーブが１１の壁から離れた場所にある場合、３の汎用養生蓋のセンターに１のボルトを通して使用すればよいが、図６で示すように１３の床スリーブが１１の壁際にある場合、３の汎用養生蓋が１１の壁と干渉して、３の汎用養生蓋より下の部品が１３の床スリーブに入らない。そこで、１のボルトを３の汎用養生蓋ユニットの中心から外れた位置に偏心して差込み図６で示すように１０の汎用養生蓋ユニットを固定する。
【００１２】
図２の部品５は上部圧縮用板であり上部に５−１の回り止めがついている。この回り止めは３の汎用養生蓋にある３−１の偏心用長穴に入り込み回転止めの役割を担っている。さらに下部には６の固定止水用ゴムに向かってテーパが設けてあり、１のボルトを締めたときに６の固定止水用ゴムの上部が左右に開く力を生じさせるためである。同様に７の下部圧縮用板もその上部にテーパを設けてあり、１のボルトを締めたときに６の固定止水用ゴムの下部が左右に開く力を生じさせている。なお、コスト削減のためこのテーパの加工は省くこともできる。テーパを省いたときでも６の固定止水用ゴムは強く圧縮されると左右に膨れ上がり、固定と止水の機能を果たす。
【００１３】
なお、図２の６の固定止水用ゴムは本実施例では２つ設けた。中心のボルトが通る穴を６−１の固定止水用ゴム１は小さくし、６−２の固定止水用ゴム２は大きくしている。これらは２つの固定止水用ゴムで固定と止水を確実にする一方、１３の床スリーブの穴の壁面にも凸凹があり６−２の固定止水用ゴム２は少々の偏心が可能なようにボルトが通る穴を大きくしている。２のワッシャと４のパッキンは１のボルトを伝わる水滴の止水であり、９の抜け落ち防止ピンは、安全対策である。また８のナットは７の下部圧縮用板に固定されており、下部圧縮用板は６の固定止水用ゴムとの摩擦が大きくさらに固定止水用ゴムと５の上部圧縮用板との摩擦も大きいため、５の上部圧縮用板の回り止め機能をナットまで伝達させナットの空回りを防いでいる。
【００１４】
本実施例では図１の３の汎用養生蓋は鉄板を使用した。鉄板でなくても安くて堅牢なものであれば良い。課題にもあるように、今までの養生蓋は台車の通過や止水が不完全なときの補修時に壊れることが多かった。養生蓋が壊れると非常に安全性が脅かされる。また、かえって修理に工数を取られることになる。また本発明は汎用タイプで、予め作っておくため、現場では加工のし難い鉄板でも可能となった。よって、安全性も格段に向上した。
【産業上の利用可能性】
【００１５】
本発明により、今までの床スリーブの養生が、時間、コスト、機能、安全、再利用、産業廃棄物の面で著しく優れており、直ぐにでも社会利益を伴い産業上利用できる。
【図面の簡単な説明】
【００１６】
【図１】汎用養生蓋ユニットの実施方法を示した正面図である。
【図２】汎用養生蓋ユニットの各部品の上面図である。
【図３】汎用養生蓋ユニットの固定と止水をする前の説明図である。
【図４】汎用養生蓋ユニットの固定と止水をした後の説明図である。
【図５】汎用養生蓋ユニットが壁際にない時の実施方法を示した説明図である。
【図６】汎用養生蓋ユニットが壁際にある時の実施方法を示した説明図である。
【符号の説明】
【００１７】
１      ボルト
２      ワッシャ
３      汎用養生蓋
４      パッキン
５      上部圧縮用板
６−１  固定止水用ゴム１
６−２  固定止水用ゴム２
７      下部圧縮用板
８      ナット
９      抜け落ち防止ピン
１０    汎用養生蓋ユニット
１１    壁
１２    床
１３    床スリーブ
【図１】
2008031709.tif 000003
【図２】
2008031709.tif 000004
【図３】
2008031709.tif 000005
【図４】
2008031709.tif 000006
【図５】
2008031709.tif 000007
【図６】
2008031709.tif 000008
【手続補正書】
【提出日】平成19年2月21日(2007.2.21)
【手続補正１】
【補正対象書類名】特許請求の範囲
【補正対象項目名】全文
【補正方法】変更
【補正の内容】
【特許請求の範囲】
【請求項１】
床スリーブの開口を、床をほぼ面一に揃えた状態で一時的に塞いでおくための養生蓋ユニットであって、
前記開口を覆う寸法を有する円板状の養生蓋と、
前記養生蓋の下部に設けられた上部圧縮用板と、
前記上部圧縮用板の下部に設けられた固定止水用ゴムと、
前記固定止水用ゴムの下部に設けられた下部圧縮用板と、
前記養生蓋、上部圧縮用板、固定止水用ゴムおよび下部圧縮用板を一体化するためのボルトおよびナットとを含む、養生蓋ユニット。
【請求項２】
前記養生蓋は前記ボルトを貫通するための長穴を有する、請求項１に記載の養生蓋ユニット。
【請求項３】
前記固定止水用ゴムは複数設けられる、請求項１または２に記載の養生蓋ユニット。
【請求項４】
前記複数の固定止水用ゴムは前記ボルトを貫通するための貫通孔を有し、前記複数の固定止水用ゴムに設けられた貫通孔の寸法は異なる、請求項３に記載の養生蓋ユニット。
【手続補正書】
【提出日】平成19年5月21日(2007.5.21)
【手続補正１】
【補正対象書類名】特許請求の範囲
【補正対象項目名】請求項１
【補正方法】変更
【補正の内容】
【請求項１】
床スリーブの開口を、床をほぼ面一に揃えた状態で一時的に塞いでおくための養生蓋ユニットであって、
前記開口を覆う寸法を有する円板状の養生蓋と、
前記養生蓋の下部に設けられた上部圧縮用板と、
前記上部圧縮用板の下部に設けられた固定止水用ゴムと、
前記固定止水用ゴムの下部に設けられた下部圧縮板と、
前記養生蓋、上部圧縮用板、固定止水用ゴムおよび下部圧縮板を一体化するためのボルトおよびナットとを含み、
前記ボルトおよびナットで前記養生蓋、上部圧縮用板、固定止水用ゴムおよび下部圧縮板を一体化したとき、前記固定用止水ゴムは前記床スリーブの開口を塞ぎ、
前記円板状の養生蓋と、前記固定用止水ゴムとで前記床スリーブの開口を二重に塞ぐ、養生蓋ユニット。